(57)【要約】【課題】便器本体をトイレ室後方の壁に近づけて設置することができる便器装置を提供する。【解決手段】ボウル部２を有する便器本体３と、床９に設けられた排水管５に対して接続されて内部が排水管５に通じるトラップケース２２と、一端部がボウル部２の排水口部１９に連通すると共に他端部がトラップケース２２の内部で開口するトラップ管２１を備える。トラップ管２１が排水口部１９に長さ変更可能な接続管部２８を介して接続される。トラップケース２２が便器本体３に対して前後位置調節可能に取り付けられる。【選択図】図１
2012225025.tif 000002
【特許請求の範囲】
【請求項１】
ボウル部を有する便器本体と、床に設けられた排水管に対して接続されて内部が前記排水管に通じるトラップケースと、一端部が前記ボウル部の排水口部に連通すると共に他端部が前記トラップケースの内部で開口するトラップ管を備え、このトラップ管を変形させて前記ボウル部内に水が溜まる溜水状態と前記ボウル部内の水を前記トラップケースの内部を介して排水管に排出する排水状態とに切り換えるターントラップ式の便器装置であって、前記トラップ管が前記排水口部に長さ変更可能な接続管部を介して接続され、前記トラップケースが前記便器本体に対して前後位置調節可能に取り付けられることを特徴とする便器装置。
【請求項２】
前記トラップ管が伸縮自在の蛇腹管で構成され、この蛇腹管の端部によって前記接続管部が構成されたことを特徴とする請求項１に記載の便器装置。
【発明の詳細な説明】
【技術分野】
【０００１】
本発明はターントラップ式の便器装置に関する。
【背景技術】
【０００２】
特許文献１には、ターントラップ式の水洗便器装置が開示されている。この水洗便器装置は、ボウル部を有する便器本体と、便器本体の後方に配置されるケース体と、ケース体に収納されて前端部がボウル部の排水管部に接続されるトラップ部を備えている。前記トラップ部の終端は駆動手段により上下に回転し、これによりボウル部の排水管部と床側に設けられた外部排水管とがケース体を介して連通して、ボウル部内の水が排出されるようになっている。
【先行技術文献】
【特許文献】
【０００３】
【特許文献１】特開２００５−２１３７６５号公報
【発明の概要】
【発明が解決しようとする課題】
【０００４】
特許文献１のケース体はアタッチメント部材を介して床側に設けられた外部排水管に接続されているが、ケース体をしっかりと固定するにはケース体を便器本体に取り付けることが好ましい。
【０００５】
ところで、前記外部排水管を、床の所定位置に正確に位置決めして設置することは容易ではなく、外部排水管が所定位置からずれた位置に設けられる可能性がある。この場合、上記のようにケース体が便器本体に取り付けられるものであると、便器本体も所定位置からずれた位置に設置されることとなる。殊に便器本体が狭いトイレ室において所定位置よりも後方にずれると、便器本体がトイレ室後方の壁に当たって便器本体を設置できないといった事態が生じる恐れがある。また、これを避けるには、前記外部排水管の施工誤差を考慮して、設置後における便器本体とトイレ室後方の壁との間に比較的大きな隙間ができるように便器本体を形成することが考えられる。しかし、このようにすると、便器本体がトイレ室において前側に設置され、利用者に圧迫感を与えてトイレ室が狭いと感じさせる可能性がある。
【０００６】
本発明は上記事情に鑑みてなされたものであって、便器本体をトイレ室後方の壁に近づけて設置することができる便器装置を提供することを課題とする。
【課題を解決するための手段】
【０００７】
上記課題を解決するために本発明の便器装置は、ボウル部を有する便器本体と、床に設けられた排水管に対して接続されて内部が前記排水管に通じるトラップケースと、一端部が前記ボウル部の排水口部に連通すると共に他端部が前記トラップケースの内部で開口するトラップ管を備え、このトラップ管を変形させて前記ボウル部内に水が溜まる溜水状態と前記ボウル部内の水を前記トラップケースの内部を介して排水管に排出する排水状態とに切り換えるターントラップ式の便器装置であって、前記トラップ管が前記排水口部に長さ変更可能な接続管部を介して接続され、前記トラップケースが前記便器本体に対して前後位置調節可能に取り付けられることを特徴とする。
【０００８】
前記トラップ管が伸縮自在の蛇腹管で構成され、この蛇腹管の端部によって前記接続管部が構成されることが好ましい。
【発明の効果】
【０００９】
本発明にあっては、便器本体をトイレ室後方の壁に近づけて設置することができる。
【図面の簡単な説明】
【００１０】
【図１】本実施形態の便器装置の設置状態を示す一部破断側面図である。
【図２】同上の便器装置の斜視図である。
【図３】同上のトラップ装置、床フランジ、及び排水管を示す断面図である。
【図４】同上のトラップ筒の一部破断側面図である。
【発明を実施するための形態】
【００１１】
以下、本発明を添付図面に基づいて説明する。本実施形態の便器装置１は、図１に示すようにボウル部２を有する便器本体３にターントラップ式のトラップ装置４を内蔵した洋式便器である。
【００１２】
トイレ室の床９に便器装置１を設置するにあたっては、予め図３に示すように床９に排水管５が設けられる。排水管５は、図１に示すようにトイレ室後方の壁３５から前方に所定距離Ｌ離れた位置に設けられる。
【００１３】
図３のように、排水管５には排水流路６を有する床フランジ７が取り付けられる。排水流路６の下流側端部は床フランジ７から下方に突出した接続筒部８で構成されている。接続筒部８は排水管５に嵌め込まれて接続され、これによって床フランジ７は排水管５に固定され、排水流路６が排水管５に連通する。また、この床フランジ７はボルト等を用いて床９に固定される。
【００１４】
便器本体３は、図１に示されるように、床９に載置される金属製の固定フレーム１０と、固定フレーム１０に取り付けられる便器形状の便器外郭１１とで構成されている。
【００１５】
固定フレーム１０の後部左右両側には金属製の取付フレーム１２が立設されている。なお、図１では一方の取付フレーム１２のみが図示されている。
【００１６】
各取付フレーム１２の下端部には前方に突出する被取付部１３が形成されている。各被取付部１３は固定フレーム１０に対して前後位置調節可能に取付けられる。各被取付部１３には、上下に貫通し、長手方向が前後方向と平行な長孔（図示せず）が形成されている。この長孔には上方からボルト１４が挿通され、このボルト１４の先端部が固定フレーム１０にねじ込まれることで、被取付部１３は固定フレーム１０に締結される。ボルト１４は前記長孔に前後方向にスライド自在に挿入されており、ボルト１４を緩めることでこの長孔に対する挿入位置を変更することができる。このため、各取付フレーム１２は固定フレーム１０に対して前後方向の任意の位置で取り付けることができる。
【００１７】
便器外郭１１は、前部を構成する前パーツ１５と、後部を構成する後パーツ１６を備えており、両パーツ１５，１６は合成樹脂製である。
【００１８】
前パーツ１５は固定フレーム１０の前部に取り付けられる。前パーツ１５は、上方に開口するボウル部２と、ボウル部２の上縁に接続されて前パーツ１５の上面を構成するリム部１７と、平面視で後方に開口する略Ｃ字状に形成されてボウル部２を覆うスカート部１８で構成されている。ボウル部２の下部には、後方に突出する円筒状の排水口部１９が形成されている。
【００１９】
トラップ装置４は、ボウル部２の排水口部１９に連通するトラップ管２１と、トラップ管２１を駆動する駆動機構（図示せず）と、トラップ管２１から排出された水を受けるトラップケース２２で構成されている。
【００２０】
トラップケース２２はボウル部２の後方に配置されている。図３のようにトラップケース２２の内部空間２３は、トラップケース２２の下面部に形成された孔２４から下方に開口している。また、内部空間２３はトラップケース２２の前面部に形成された孔２５から前方に開口している。
【００２１】
トラップ管２１は、図４に示すように屈曲自在で且つ伸縮自在の蛇腹管で構成されていいる。トラップ管２１の中途の外周にはフランジ２６が突出して設けられている。フランジ２６は図３のように複数のビス２７によりトラップケース２２の前面部に固着され、これによってトラップ管２１はトラップケース２２に取り付けられる。
【００２２】
図１のようにトラップ管２１の一端部はトラップケース２２から前方に突出して、ボウル部２の排水口部１９に接続されている。このトラップ管２１の突出部分は伸縮自在であり、長さ変更可能な接続管部２８を構成する。図３のようにトラップ管２１の他端部は孔２５からトラップケース２２の内部空間２３に挿入され、トラップケース２２の内部空間２３において開口している。
【００２３】
前記駆動機構はトラップケース２２に取り付けられる。駆動機構は図示しないモーターを有している。図示しないリモートコントローラーが操作されると、前記モーターが駆動され、これにより駆動機構はトラップ管２１を図３中実線で示す溜水形態から図３中破線で示す排水形態に変形させ、所定時間が経過した後に溜水形態に復元させる。
【００２４】
溜水形態のトラップ管２１は前記他端部が上向きに開口する。このため、ボウル部２内の水は排水口部１９から排出されず、便器装置１はボウル部２に水が溜まる溜水状態となる。
【００２５】
排水形態のトラップ管２１は前記他端部がトラップケース２２の内部空間２３において下向きに開口する。このため、ボウル部２内の水は排水口部１９からトラップ管２１を介してトラップケース２２の内部空間２３に排出される。つまり、便器装置１はボウル部２内の水が排水口部１９から排出される排水状態になる。
【００２６】
トラップケース２２の下面部は床フランジ７上に載置された状態でボルト等により床フランジ７に締結され、これによってトラップケース２２の内部空間２３は孔２４を介して床フランジ７の排水流路６に通じる。
【００２７】
図１のようにトラップケース２２の上部は複数のボルト３８により各取付フレーム１２に取り付けられる。このようにトラップケース２２が取り付けられた各取付フレーム１２は、前述のように固定フレーム１０に対して前後方向の取付位置を変更できる。このため、各取付フレーム１２の固定フレーム１０に対する前後方向の取付位置を変更すれば、トラップケース２２の便器本体３に対する前後位置を変更することができる。すなわち、固定フレーム１０に対して前後位置調節可能に取り付けられる各取付フレーム１２は、トラップケース２２の便器本体３に対する前後方向の取付位置を変更する手段を構成している。また、前記固定フレーム１０はボルト等で床９に固着される。
【００２８】
前記駆動機構によりトラップ管２１を駆動して便器装置１を排水状態にすると、ボウル部２内の水は、排水口部１９、トラップ管２１の内側、トラップケース２２の内部空間２３、及び床フランジ７の排水流路６を順に通過して、排水管５から排出される。
【００２９】
両取付フレーム１２の上端部には、トラップ装置４の上方に位置する装置ユニット３０が取り付けられる。装置ユニット３０は図示しない各種付属装置を支持ケース３１に設けたものであり、前記付属装置として、局部洗浄装置、乾燥装置、脱臭装置、及び給水装置を有している。
【００３０】
局部洗浄装置はボウル部２内に突出して人体の局部を洗浄する洗浄ノズルを有し、乾燥装置はボウル部２に通じる送風用ダクトを有している。脱臭装置は、ボウル部２内に通じる脱臭用ダクトを有し、脱臭用ダクトによりボウル部２内の空気を吸い込み、これを脱臭する。給水装置はボウル部２内に通じる給水用ノズルを有し、給水用ノズルからボウル部２内に水洗用の水を供給する。
【００３１】
これら付属装置を支持する支持ケース３１は、各取付フレーム１２に取り付けられる被固定部３２を有している。なお、図１では一方の被固定部３２のみを図示している。各被固定部３２には、上下に貫通し、長手方向が前後方向と平行な長孔３３が形成されている。長孔３３には上方からボルト３４が挿通され、このボルト１４の先端部を取付フレーム１２にねじ込むことで、被固定部３２は取付フレーム１２に締結される。ボルト３４は長孔３３に前後方向にスライド自在に挿入され、ボルト３４を緩めることで長孔３３に対する挿入位置を変更することができる。このため、支持ケース３１を両取付フレーム１２の前後方向の任意の位置に取り付けることができる。
【００３２】
後パーツ１６は固定フレーム１０の後部及び前パーツ１５に取り付けられるものであって、便器外郭１１の後部の両側の側面及び上面を構成する。なお、本実施形態の後パーツ１６は後面部を有しておらず、後方に開口している。従って、便器外郭１１の内部の後方は、後述のように便器装置１をトイレ室後方の壁３５に沿って設けたときに、壁３５によって覆われる。
【００３３】
後パーツ１６は、便器本体３の後部に配置された、トラップ装置４、装置ユニット３０、及び床フランジ７を覆う。後パーツ１６は着脱自在の複数のカバー３６（図２参照）で構成されており、任意のカバー３６を取り外すことで、便器外郭１１内のトラップ装置４や装置ユニット３０等の保守・点検を行えるようになっている。また、便器外郭１１には、便座（図示せず）と便蓋３７（図２参照）が回動自在に取り付けられる。
【００３４】
便器装置１を設置するには例えば以下のように行う。まず、前述のように床９に設けられた排水管５に床フランジ７を取り付け、この床フランジ７を床９に固定する。次に、図１のように各取付フレーム１２が取り付けられた固定フレーム１０を床９に載置し、これにより床９上に便器本体３を配置する。この際、固定フレーム１０は床９に固定しない。
【００３５】
次にトラップ管２１をボウル部２に接続して、トラップ装置４を便器本体３に取り付ける。この後、前述のようにトラップケース２２を床フランジ７に取り付けることで、トラップ装置４を床フランジ７に固定する。また、この際、前述したようにトラップケース２２を各取付フレーム１２に取り付ける。
【００３６】
次に、ボルト１４を緩めて、前述のように各取付フレーム１２の固定フレーム１０に対する前後方向の取付位置を変更し、これにより固定フレーム１０及びこれに取り付けられた便器外郭１１を後方に移動して壁３５に近づける。このとき、トラップ管２１は、排水口部１９に接続された状態のまま、接続管部２８が収縮して短くなる。そして、ボルト１４を締めて、各取付フレーム１２を固定フレーム１０に固定する
次に、固定フレーム１０を前述したように床９に固定し、各取付フレーム１２に装置ユニット３０を取り付ける。前記装置ユニット３０は、前記洗浄ノズル、送風用ダクト、脱臭用ダクト、及び給水用ノズルをボウル部２に形成された孔３９を介してボウル部２内に臨ませる必要がある。このため、前記装置ユニット３０を各取付フレーム１２に取り付けるにあたっては、前述のように装置ユニット３０の各取付フレーム１２に対する前後方向の位置を調節して取り付ける。
【００３７】
なお、便器装置１の設置方法は上記に限られるものではない。例えば、上記において、トラップ装置４を床フランジ７に固定した後、トラップ管２１をボウル部２に接続したり、トラップケース２２を各取付フレーム１２に取り付けた後、各取付フレーム１２を固定フレーム１０に取り付けたりしてもよい。
【００３８】
以上説明した便器装置１は、床９に設けられた排水管５に対して接続されたトラップケース２２が、便器本体３に対して前後位置調節可能に取り付けられる。このため、施工誤差により排水管５が床９の所定位置から前後方向にずれた位置に設けられたとしても、このずれをトラップケース２２の便器本体３に対する前後方向の取付位置を変更することで吸収できる。従って、便器本体３をトイレ室後方の壁３５に近づけて設置することができる。また、便器本体３は、便器外郭１１の後端を壁３５に接触させて設置することができる。この場合、便器本体３と後方の壁３５との間にごみ等が溜まる隙間が形成されなくてよい。さらにこの場合、便器外郭１１（後パーツ１６）の後面部が不要になり、製造コストを削減できる。
【００３９】
また、トラップ管２１がボウル部２の排水口部１９に長さ変更可能な接続管部２８を介して接続されている。このため、接続管部２８の長さを変更することで、前記トラップケース２２の便器本体３に対する取付位置の変更を支障なく行うことができる。
【００４０】
また、本実施形態のトラップ管２１は伸縮自在の蛇腹管で構成され、この蛇腹管の端部により接続管部２８が構成されている。このため、別途接続管部２８を構成する部材を設ける必要がなく、部材点数を削減できる。
【００４１】
なお、本実施形態では、後パーツ１６を後方に開口するものとしたが、後パーツ１６は便器外郭１１内部の後方を覆う後面部を有するものであってもよい。また、本実施形態では装置ユニット３０を両取付フレーム１２の前後方向の任意の位置で取り付けることで、洗浄ノズル、送風用ダクト、脱臭用ダクト、及び給水用ノズルがボウル部２内に臨むようにした。しかし、洗浄ノズル、送風用ダクト、脱臭用ダクト、及び給水用ノズル等を、蛇腹管等を用いて伸縮可能とすることで、洗浄ノズル、送風用ダクト、脱臭用ダクト、及び給水用ノズルがボウル部２内に臨むようにしてもよい。また、洗浄ノズル等を設けないような便器装置で構成してもよい。また、本実施形態では、トラップケース２２を床フランジ７を介して排水管５に接続したが、トラップケース２２は排水管５に直接接続してもよい。
【符号の説明】
【００４２】
１  便器装置
２  ボウル部
９  床
１９  排水口部
２１  トラップ管
２２  トラップケース
２８  接続管部
【図１】
2012225025.tif 000003
【図２】
2012225025.tif 000004
【図３】
2012225025.tif 000005
【図４】
2012225025.tif 000006